(57)【要約】【課題】床用コンクリート打設後も、スプリングの調整や破断時の交換を容易に行う。【解決手段】開口部を開閉する開閉体４の昇降動作により伸縮してテンションを発生し、開閉体４の重量負荷を軽減するためのテンションスプリング８の下端を床側に固定するための開閉装置におけるスプリングの取付構造において、マウントベース２９上に下部が固定された断面略コ字形若しくは断面略口形の受け金具３０を設け、該受け金具３０の上片を前記テンションスプリング８の取付部３０ａとし、テンションスプリングの下端に突出する突出部３３を前記取付部に形成された挿通孔３４に挿通するとともに、受け金具の前面開口３０ｃを通じて取付部の下面側に形成された空間内に固定部材３５を挿通して突出部３３に抜け止め固定する。【選択図】      図３
2007239380.tif 000002
【特許請求の範囲】
【請求項１】
開口部の両側部内側に沿って立設されたサイドケース内に縦設され、前記開口部を開閉する開閉体の昇降動作により伸縮してテンションを発生し、開閉体の重量負荷を軽減するためのテンションスプリングの下端を床側に固定するための開閉装置におけるスプリングの取付構造において、
マウントベース上に下部が固定された断面略コ字形若しくは断面略口形の受け金具を設け、該受け金具の上片を前記テンションスプリングの取付部とし、
前記テンションスプリングの下端に突出する突出部を前記取付部に形成された挿通孔に挿通するとともに、前記受け金具の前面開口を通じて前記取付部の下面側に形成された空間内に固定部材を挿通して前記突出部に抜け止め固定することを特徴とする開閉装置におけるスプリングの取付構造。
【請求項２】
前記テンションスプリングの下端に突出する突出部をボルト部材により形成し、前記固定部材をナット部材により形成し、前記受け金具の前面開口を通じて前記取付部の下面に形成された空間内に固定部材を挿通して前記突出部に螺合することを特徴とする請求項１に記載の開閉装置におけるスプリングの取付構造。
【請求項３】
前記テンションスプリングはサイドケースの奥行方向に少なくとも２つ並列配置されているとともに、前記受け金具の取付部が、手前側で高く、奥側で低くなるように段差を設けて複数配置され、それぞれの取付部に前記並列配置されたテンションスプリングのそれぞれが着脱自在に取り付けられることを特徴とする請求項１又は２記載の開閉装置におけるスプリングの取付構造。
【請求項４】
前記受け金具は、その前記取付部の下面側の空間が、前記サイドケース外に打設される床用スラブコンクリートの打設面よりも高い位置に配置され、かつ前記サイドケースに着脱可能に取付けられるフロントカバーの取付面側に前面開口され、受け金具の開口を通じて前記取付部の下面側に形成された空間内に前記固定部材を挿通して前記突出部に抜け止め固定されることを特徴とする請求項１乃至３のいずれか１項記載の開閉装置におけるスプリングの取付構造。
【発明の詳細な説明】
【技術分野】
【０００１】
本発明は、シャッターなどの開閉装置に用いられるバランス用のテンションスプリングにおいて、特に床側取付構造として好適な取付構造に関する。
【背景技術】
【０００２】
高さ３〜５ｍもある大形シャッターにおいて、本発明の基礎となる技術として下記特許文献１が提示されている。この技術は、図１に示すように、巻取軸１の両側に設けた一対の巻き上げプーリ２に、チェーン状に多数連鎖した連結部材３の上端を巻取巻きほどき可能に連結し、かつ左右（図１における紙面奥行き方向）の連結部材３間にスラットを配置して開閉体４としたものである。
【０００３】
巻取軸１には、巻き付けドラム５が同軸配置され、このドラム５に一端を連結したベルト６の他端側をガイドプーリ７を経由して床側に一端連結したテンションスプリング８の上端に結合している。
【０００４】
この構造において、巻取軸１に軸結した後述する駆動装置により開閉体４が巻き上げられているときにはベルト６がドラム５より巻き解かれているようにセットされ、開閉体４の解放状態ではスプリング８の張力は減少し、また開閉体４が巻きほどかれているとき、すなわち開閉体４が閉じられている状態ではスプリング８は最大限伸びて張力が最大となり、この状態からの開閉体４の解放時における重量負荷を減少させる。
【０００５】
以上の構造では、高速で巻上げ及び巻き下げが行われるため、かなりの加減速力が発生する。駆動装置はそれに対処できるよう設計しなければならず、錘９を含む補助装置が提供される。この装置からの力は開閉体４の最下端部に作用し、ベルト１０、上側ガイドプーリ１１、下側ガイドプーリ１２、滑車１３によって伝達される。
【０００６】
ベルト１０の一端は錘９の上方に固定され、他端は開閉体４の下端に固定される。固定端から進み、ベルト１０は必ず錘９が作用する滑車１３で方向が反転する。そしてベルト１０はガイドプーリ１１，１２間に導かれ、開閉体４の最下端部に進む。開閉体４の下端部がガイドプーリ１２の下側にある限り、ベルト１０の力は上方に作用するため、開閉体４を開く過程では加速効果がある。他方、開閉体を閉じる過程では、減速効果を生ずる。    
【０００７】
すなわち、ベルト１０の取付点がプーリ１２の高さより上に来ると、開閉体４を開く過程ではベルト１０の力は下方に作用し、減速されるものとなる。
【０００８】
前記スプリング８及び錘９はその構造上、開口部両側に配置されたサイドケース内に縦設され、ケース前面に設けたフロントカバーを取外すことで、取付調整或いは保守点検作業等ができるようにしている。
【特許文献１】特表２００３−５２７５１３号公報
【発明の開示】
【発明が解決しようとする課題】
【０００９】
ところで、前記開閉装置の構築手順としては、開口部両側の内壁面又は柱に沿って前記サイドケースを据付け、開閉体駆動機構が完成した後に、床用のスラブコンクリートを打設して床面を仕上げ、その後サイドケースにフロントカバーを取付ける順序となっているため、サイドケース内において、床側のスプリングマウントベースの位置がスラブコンクリートの打設面よりも相対的に下へ奥まって位置することになってしまい、スプリングの床側取付位置において工具の取り回しができなくなる等、そのままではスプリングの交換や調整作業が不可能となる場合が多く、スプリングの点検や交換毎に、コンクリートをはつり取るなどの面倒な付随作業を必要としていた。
【００１０】
本発明は以上の課題を解決するものであり、その目的は、床用のスラブコンクリート打設後であっても、スプリングの調整や破断時の交換を容易に行えるようにした開閉装置におけるスプリングの取付構造を提供するものである。
【課題を解決するための手段】
【００１１】
前記目的を達成するため、本発明は、開口部の両側部内側に沿って立設されたサイドケース２１内に縦設され、前記開口部を開閉する開閉体４の昇降動作により伸縮してテンションを発生し、開閉体４の重量負荷を軽減するためのテンションスプリング８の下端を床側に固定するための開閉装置におけるスプリングの取付構造において、
マウントベース２９上に下部が固定された断面略コ字形若しくは断面略口形の受け金具３０（４０）を設け、該受け金具３０（４０）の上片を前記テンションスプリング８の取付部３０ａ（４０ａ，４０ｂ）とし、
前記テンションスプリングの下端に突出する突出部３３を前記取付部に形成された挿通孔３４に挿通するとともに、前記受け金具の前面開口３０ｃ（４０ｃ）を通じて前記取付部の下面側に形成された空間内に固定部材３５を挿通して前記突出部３３に抜け止め固定することを特徴としている。
【００１２】
請求項２では、前記テンションスプリング８の下端に突出する突出部３３をボルト部材により形成し、前記固定部材３５をナット部材により形成し、前記受け金具の前面開口３０ｃ（４０ｃ）を通じて前記取付部の下面に形成された空間内に固定部材３５を挿通して前記突出部３３に螺合するようにしている。
【００１３】
請求項３では、前記テンションスプリング８，８は、サイドケース２１の奥行方向に少なくとも２つ並列配置されているとともに、受け金具４０の取付部が、手前側で高く、奥側で低くなるように段差を設けて複数配置され、それぞれの取付部に、前記並列配置されたテンションスプリング８，８のそれぞれが着脱自在に取り付けられることを特徴としている。
【００１４】
請求項４では、前記受け金具は、その前記取付部の下面側の空間が、前記サイドケース外に打設される床用スラブコンクリートの打設面よりも高い位置に配置され、かつ前記サイドケースに着脱可能に取付けられるフロントパネル２４の取付面側に前部開口され、受け金具の開口を通じて前記取付部の下面側に形成された空間内に、前記固定部材３５を挿通して前記突出部３３に抜け止め固定されることを特徴としている。
【発明の効果】
【００１５】
本発明によれば、テンションスプリングの受け金具を、断面略コ字形若しくは断面略口形に形成し、その下部をマウントベース上に設けたので、受け金具の上面取付部がマウントベース及びスラブコンクリートよりも充分高く突出し、点検・交換時には受け金具の前面開口より取付部の下面に工具を挿入して取付用ナットなどよりなる固定部材の取付・取外しや、螺合調整などを行えることになる。
【００１６】
また、本発明に係る受け金具を、その取付部が、手前側で高く、奥側で低くなるように段差を設けて複数配置し、それぞれの取付部に、並列配置されたテンションスプリングのそれぞれを着脱自在に取り付けるようにすることにより、点検・交換時には手前側のナットなどの固定部材を取外すことなく、奥部側の固定部材の取付・取外しや、螺合などの調整などを行えるため、テンションスプリングの取付調整或いは保守点検作業がさらに容易になる。
【発明を実施するための最良の形態】
【００１７】
以下、本発明の最良の形態につき、添付図面を参照して説明する。なお、本発明の要部構造は、前記図１に示す開閉装置と同一であり、その同一箇所には同一符号を用いて説明を省略し、異なる箇所あるいは新たに付加された部材にのみ異なる符号を用いて説明する。
【００１８】
図２〜図５は本発明の第１実施形態を示すもので、図２は開閉装置の平断面図、図３は要部の分解斜視図、図４は同組立状態の斜視図、図５は図４のＡ矢視における要部拡大図である。
【００１９】
まず図２において、建物等躯体の開口上部には図示しない開閉体収納ケースが横設され、その下部にあって開口の左右両側には躯体壁面に沿って一対のサイドケース２１が立設され、両サイドケース２１にはその両端を昇降可能にガイドされて開口を閉鎖する前述の多数のスラット２２が配置されている。
【００２０】
各サイドケース２１内には、前後に略平行に並んで配置され、上下に伸縮するコイルバネである前記一対のテンションスプリング８と、保護スリーブ２３内に懸垂状態に収容された前記錘９が配置され、それぞれ前記ベルト６，１０を介して前記巻付けドラム５、ガイドプーリ１１，１２、１３に連繋している。
【００２１】
また各サイドケース２１の前面には、フロントカバー２４が配置され、通常はタッピングビスなどによってサイドケース２１に固定することでサイドケース２１の前面を閉鎖し、点検やスプリング交換の時はこのフロントカバー２４を外すことによって内部を覗くことができるようにしている。
【００２２】
前記各テンションスプリング８の上端はブラケット２５により連結され、このブラケット２５に設けたピン２６に前記ベルト６の端部を巻回状態に連結している。
【００２３】
これに対し、テンションスプリング８の下部側においては、図３〜図５に示す取付構造となっている。各図に示すように、当初の床面を構成する基礎コンクリートＣ１（図５参照）の上面には、これに埋設されたアンカーボルト２７の上部が突出し、このアンカーボルト２７にナット２８を介して結合したマウントベース２９が設置されている。
【００２４】
マウントベース２９のスプリング取付位置には、前記フロントカバー２４側に向けて開口する断面略コ字形の受け金具３０の両側下部が溶接手段３１などによって一体に固定され、所定の突出高さでマウントベース２９上に突出し、その上片を前記テンションスプリング８に対する取付部３０ａとしている。尚、前記フロントカバー２４側に向けて開口する受け金具３０の断面形状は、断面略口形であってもよい。
【００２５】
前記テンションスプリング８の下部側取付端の内周部には、図３に示すように、テンションスプリング８の内径に応じたスパイラル状雄ネジ部３２ａを外周に形成した端部金具３２がねじ込みにより固定され、かつこの端部金具３２の下端には連結用のボルト部材となる突出部３３が突出している。
【００２６】
そして、前記取付部３０ａの上下を貫通して形成されたボルト挿通孔３４に突出部３３を挿通し、前記受け金物３０の前面開口３０ｃ部より固定用ナットよりなる固定部材３５を差込み、取付部３０ａの下面側で前記突出部３３に固定部材３５を螺合することによって、テンションスプリング８の下端を固定できるようになっている。
【００２７】
ここで、前記サイドケース２１外には、サイドケース２１の内部に収装される前述の各部品を組立て、取付工事完了後に、前記基礎コンクリートＣ１上に床用のスラブコンクリートＣ２が打設されるが、前記受け金物３０のマウントベース２９からの突出高さは床用スラブコンクリートＣ２の打設天端高さＦＬよりも十分に高く設定されている。
【００２８】
従って、スラブコンクリートＣ２の打設後も、取付部３０ａの下面とスラブコンクリートＣ２の天端高さＦＬとの間には、固定部材３５を差込み、取付取外しなどを行うための十分な高さＨの空間が形成されており、工事完了後であってもフロントカバー２４を取外した状態では、サイドケース２１の外から受け金具３０の開口３０ｃ面より内部にレンチなどの工具を差込んで前記固定部材３５のねじ込み調整や、固定部材３５の取付・取外しによるテンションスプリング８の交換を行うことができるのである。尚、前記サイドケース内にもサイドケース外と略同じ高さのスラブコンクリートが打設された場合にも、同様に取付部３０ａの下面とスラブコンクリートの天端との間には、固定部材３５を差し込み、取り付け取り外しなどを行うための十分な高さの空間が形成される。
【００２９】
図６、７は本発明の第２実施形態を示すものである。各図において、断面略コ字形若しくは断面略口形の受け金具４０は、前部側取付部４０ａの高さＨ１が高く、後部側取付部４０ｂの高さＨ２がこれより低く設定され、その段差Ｈ１−Ｈ２は、前記突出部３３の受け金具４０内部への突出量に応じた差となっている。すなわち、この受け金具４０は、高さの高い断面略コ字形若しくは断面略口形の前部側受け金具と、これよりも高さの低い断面略コ字形若しくは断面略口形の後部側受け金具とが、側壁を連続させて、前後に一体に、又は、隣接した別体として連続した構成とされている。受け金具の構成以外は、前記第１実施形態と同様である。
【００３０】
第２実施形態においては、例えば奥側のテンションスプリング８の調整・交換などを行う場合に、手前側の固定部材３５を取外す必要がなく、手前側スプリング８を一時的に撤去することなく行えるため、作業がさらに簡単となる。また、ベルト６とマウントベース２９とをテンションスプリング８を介して連結したまま、テンションスプリングを１本づつ調整・交換する作業を行うことが可能となる。
【００３１】
尚、段差を設けて配置される取付部（第２実施形態においては前部側取付部４０ａと後部側取付部４０ｂ）は、テンションスプリングの数に応じた数を有するように構成されればよい。
また、上記第２実施形態においては、段差を設けて複数配置される取付部は、手前側で高く、奥側で低くなるように構成したが、手前側で低く、奥側で高くなるように構成してもよい。このような構成によれば、奥側のスプリングを調整・交換させる時に、上記第１実施形態と同様、手前側スプリングを一時的に撤去しなければならないが、受け金具の奥側取付部の開口面から工具を差し込めばよいので、工具の取り回しの制限が少なくて済む。
【図面の簡単な説明】
【００３２】
【図１】本発明が適用される開閉装置の概略を示す説明図である。
【図２】同実装構造を示す平断面図である。
【図３】本発明の第１実施形態による要部分解斜視図である。
【図４】同組立状態を示す斜視図である。
【図５】図４のＡ矢視図である。
【図６】本発明の第２実施形態を示す斜視図である。
【図７】図６のＢ矢視図である。
【符号の説明】
【００３３】
４  開閉体
８  テンションスプリング
２１  サイドケース
２２  スラット
２４  フロントカバー
２９  マウントベース
３０，４０  受け金具
３０ａ，４０ａ，４０ｂ  取付部
３０ｃ，４０ｃ  開口
３１  溶接手段
３３  突出部
３４  挿通孔
３５  固定部材
Ｃ１  基礎コンクリート
Ｃ２  床用スラブコンクリート
Ｈ，Ｈ１，Ｈ２  高さ
【図１】
2007239380.tif 000003
【図２】
2007239380.tif 000004
【図３】
2007239380.tif 000005
【図４】
2007239380.tif 000006
【図５】
2007239380.tif 000007
【図６】
2007239380.tif 000008
【図７】
2007239380.tif 000009